(57)【要約】      （修正有）【課題】人が野生獣捕獲用箱罠に閉じ込められた場合に安易に脱出できる非常脱出扉を設置した箱罠を提供する。【解決手段】入口に落下式扉Ｂー１を備えた箱形ゲージ形式の野生獣捕獲箱罠で、当該箱罠内に入った野生獣を落下式扉の落下による入口の遮断によって捕獲するようにした箱罠において、箱形ゲージの側面又は後面・前面に非常脱出扉Ｂー２が設けられている。非常脱出扉Ｂー２は箱形ゲージの内部方向に開閉するもので、ヒンジＣー１、Ｃー２を介して箱形ゲージの本体に装着されてなる。非常脱出扉Ｂー２は箱形ゲージの本体に対して箱形ゲージの外側に、係脱するロック具Ｃー３、Ｃー４が設けられている。【選択図】図１
0003220739.tif 000002
【実用新案登録請求の範囲】
【請求項１】
入口に落下式扉を備えた箱形ゲージ形式の野生獣捕獲箱罠で、当該箱罠内に入った野生獣を落下式扉の落下による入口の遮断によって捕獲するようにした箱罠において、前記箱形ゲージの側面又は後面・前面に非常脱出扉が設けられている箱罠。
【請求項２】
前記非常脱出扉は箱形ゲージの内部方向に開閉するもので、ヒンジを介して前記箱形ゲージの本体に装着されてなる請求項１記載の箱罠。
【請求項３】
前記非常脱出扉は前記箱形ゲージの本体に対して前記箱形ゲージの外側に、係脱するロック具が設けられている請求項１又は２に記載の箱罠。
【請求項４】
前記非常脱出扉のロック具は、人が前記箱形ゲージに閉じ込められた場合に、内部より安易に係脱し外部に脱出できる構造の請求項３記載の箱罠。
【考案の詳細な説明】
【技術分野】
【０００１】  野生獣捕獲箱罠の新らたな性能を持つ箱罠の開発。
【背景技術】
【０００２】  実用新案登録第３１１６０３２号の箱罠とは大きく違う安全性を担保する。
【先行技術文献】
【０００３】
【特許文献１】実用新案登録第３１１６０３２号
【考案の概要】
【考案が解決しようとする課題】
【０００４】  野生獣捕獲箱罠は、山間部に限らず、野生獣が出没して害をなす人里近郊に設置される場合も多いために、関係者が点検等で中に入る以外に、往々にして子供が入って遊んだりその他の無関係の者が入って内部を触れる事がありその際に誤って落下式扉の作動部分に触れて入口が遮断される場合がある。その場合、閉鎖した扉が野生獣の脱出防止の為に重かったり、落下した状態で固定される等で内部から人が開ける事が出来ないために、発見されるまで長時間にわたって捕獲ゲージ内に閉じ込められまた、救助の連絡が不可能な場合に人命に影響する重大事故につながる事案がある。
【課題を解決するための手段】
【０００５】  上記課題を解決する手段として請求項１の考案は、野生獣を捕獲するようにした箱罠の側部又は後部あるいは前部に、弱い人力でも内側から安易に開く非常脱出扉を設けることにより、箱罠内に閉じ込められた弱者が安易に脱出出来るための手段。
【考案の効果】
【０００６】  当該考案は、実用新案登録第３１１６０３２号にある上部脱出口では無く、段落０００５にあるように側部又は後部あるいは前部に内側から人が簡単に開くことが出来る非常脱出  扉が設けられていることから、人が捕獲ゲージ内に閉じ込められた非常時に安易に脱出することが可能であり、人命に影響する重大事故の回避に大きな効果が期待出来る。
【図面の簡単な説明】
【０００７】
【図１】  Ａー１は請求項１の特徴を示した全体図であり入口が開放した状態のものであり、Ａー２は付設した非常脱出扉を明確に外部から見せている。
【図２】  Ｂー１は請求項１の非常脱出扉を内部より見た図であり、Ｂー２は請求項１の非常脱出扉を外部より見た拡大図であ。符号Ｃ群は請求項２及び請求項３の、非常脱出扉と箱罠本体との接合部を示す。
【図３】  Ｃー１及びＣー２は請求項２の非常脱出扉に付するヒンジの拡大図でありＣー１は上部、Ｃー２は下部である。
【図４】  Ｃー３及びＣー４は請求項３の非常脱出扉に付する口ック具の拡大図でありＣー３は上部、Ｃー４は下部を示す。
【図５】  Ｄー１は段落０００４にある、人が箱罠内に閉じ込められた状態であり、Ｄー２は段落０００５にある内部より人がロック具に外す様子を示している。
【図６】  Ｄー３は前記図６と継続しており、前記のロック具を内部から手で掴んで、ロックの解除をする様子を示し、Ｄー４は前記の続きを示す。
【図７】  図６に継続する図で、Ｄー５は前記ロック具が外れた状態であり、Ｄー６はロックを外して前記非常脱出扉を箱罠の内側に開いた状態を示す。
【図８】  前記図７に継続する図であり、Ｄー７は特徴である非常脱出扉を内部より手で大きく開放した状態であり、Ｄー８は脱出する状態図。
【考案を実施するための形態】
【０００８】  入口に落下式捕獲扉を備えた箱形ゲージ形式の野生獣捕獲箱罠で、前記箱形ゲージの天井部ではなく側面部又は後部あるいは前部に非常脱出扉が設けられている事で、安易に脱出することが可能で人身事故を回避できるこを特徴とする箱罠。
【０００９】  前記非常脱出扉がヒンジを介して前記捕獲箱罠の本体に装着されてなる請求項１記載の箱罠であり、内部に閉じ込められた人が、安易に脱出できる機能が特徴。
【００１０】  前記非常脱出扉が前記捕獲箱罠の本体に対して係脱するロック具が設けられており、前記ロック具は当該箱罠に閉じ込められた老人・子供・婦人等弱者が道具を使うこと無く外部に脱出できる箱罠。
【００１１】  前記非常脱出扉に前記捕獲ゲージの本体に対して係脱するロック具が前記捕獲ゲージの外側に設けられていることから、ゲージメッシュの隙間から手を外部に出してロックを解除できる箱罠（図６  Ｄー４）。
【００１２】  当該非常脱出扉は、捕獲ゲージの内側方向に開くことから、障害物による扉の作動の障害が無く、老人・子供・非力な婦人等であっても安易に外部に脱出できる箱罠。
【００１３】  当該非常脱出扉は大型であることから外部への脱出が容易な箱罠（図８  Ｄー８）。
【符号の説明】
【００１４】符号Ａ、請求項１の箱罠本体を示す。
符号Ｂ、上記箱罠に付する扉部を示し、Ｂー１は捕獲用の入口扉であり、Ｂー２は非常脱        出扉を示す。
符号Ｃ、請求項１の非常脱出扉と箱罠本体を接合している器具であり、Ｃー１及びＣー２        は請求項２のヒンジ部を示し、Ｃー３及びＣー４は請求項３のロック具を示す。
符号Ｄ、Ｄー１は段落０００４にある、人が閉じ込められた状態を示し、Ｄー２からＤー        ８はロック具を解除し人が脱出する状態を継続的に示す。
【図１】
0003220739.tif 000003
【図２】
0003220739.tif 000004
【図３】
0003220739.tif 000005
【図４】
0003220739.tif 000006
【図５】
0003220739.tif 000007
【図６】
0003220739.tif 000008
【図７】
0003220739.tif 000009
【図８】
0003220739.tif 000010
【手続補正書】
【提出日】平成30年11月1日(2018.11.1)
【手続補正１】
【補正対象書類名】実用新案登録請求の範囲
【補正対象項目名】請求項４
【補正方法】変更
【補正の内容】
【請求項４】
非常脱出扉の請求項３のロック具は、非常脱出扉の外向け及び檻の構造体に該当扉を固定する為に装着した穴の空いた鉄製保持板に、金属製でＵ字型の鉄製保持板の穴より細い閂を差し込むことにより扉は閉鎖状態となり、Ｕ字型閂は該当扉及び構造体に取付けた鉄製保持板より細いことから、閉鎖状態では両先端が下方向にぶら下がった状態となり、該当扉の鉄製保持板と構造体の鉄製保持板との間隔が大変少ないことから閉鎖は担保される。
人が前記箱形ゲージに閉じ込められた場合に、構造体の外側に下向きに下がっているＵ字型閂を、ゲージの隙間から外側に手を出して横に向けて引き抜くことが鉄製保持板より細いため少ない力で可能であり、該当扉の閉鎖状態が安易に開放状態となることから内部より人が外部に安易に脱出できる構造の請求項３記載の箱罠。
【手続補正書】
【提出日】平成31年1月15日(2019.1.15)
【手続補正１】
【補正対象書類名】実用新案登録請求の範囲
【補正対象項目名】請求項４
【補正方法】変更
【補正の内容】
【請求項４】
前記ロック具は、非常脱出扉の外向け及び檻の構造体に該当扉を固定する為に装着した穴の空いた鉄製保持板に、金属製でＵ字型の鉄製保持板の穴より直径の細い閂を、差し込むことにより扉は閉鎖状態となり、Ｕ字型閂は該当扉及び構造体に取付けた鉄製保持板の穴より細いことから、閉鎖状態では両先端が下向きにぶら下がった状態となり、該当扉の鉄製保持板と構造体の鉄製保持板との隙間が大変少ないことから閉鎖は担保され、人が前記箱形ゲージに閉じ込められた場合に、構造体の外側に下向きに下がっていＵ字型閂を、ゲージの隙間から外側に手を出して横に向けて引き抜くことが可能であり、該当扉の閉鎖状態が安易に開放状態となることから、内部より人が外部に安易に脱出できる構造の請求項３記載の箱罠。